(57)【特許請求の範囲】
【請求項１】
石油系液体貨物を運搬する船舶に適用される水処理システムであって、
前記石油系液体貨物が収容される収容タンクに隣接した第一のタンクと、
前記収容タンクに隣接しない第二のタンクと、
水が流入する流入口、及び、水が流出する流出口を有し、前記第一のタンクへ漲水される水、及び前記第一のタンクから排水される水の水処理を行う水処理部と、
前記第一のタンクと前記水処理部の前記流入口との間に配置された第一の水シール部と、
前記第一のタンクと前記水処理部の前記流出口との間に配置された第二の水シール部と、を備え、
前記第二のタンクは、前記第一の水シール部と前記第二の水シール部との間の区間に接続され、
前記水処理部は、前記第二のタンクへ漲水される水、及び前記第二のタンクから排水される水の少なくとも一方の水処理を行い、
外部と前記水処理部の前記流入口とを、前記第一の水シール部を介して接続する第一の流入ラインと、
前記第一のタンクと前記水処理部の前記流入口とを、前記第一の水シール部を介して接続する第二の流入ラインと、
前記第二のタンクと前記水処理部の前記流入口とを接続する第三の流入ラインと、
前記第一の流入ライン及び前記第二の流入ラインに設けられる第一のポンプと、
前記第三の流入ラインに設けられる第二のポンプと、を更に備え、
前記第一のポンプは、
外部から取り込んだ水を前記水処理部を介して前記第一のタンクへ圧送し漲水すること、
前記第一のタンクから汲み上げた水を前記水処理部を介して外部へ圧送し排水すること、及び、
外部から取り込んだ水を前記水処理部を介して前記第二のタンクへ圧送し漲水することを可能とし、
前記第二のポンプは、
前記第二のタンクから汲み上げた水を前記水処理部を介して外部へ圧送し排水することを可能としていること、を特徴とする水処理システム。
【請求項２】
石油系液体貨物を運搬する船舶に適用される水処理システムであって、
前記石油系液体貨物が収容される収容タンクに隣接した第一のタンクと、
前記収容タンクに隣接しない第二のタンクと、
水が流入する流入口、及び、水が流出する流出口を有し、前記第一のタンクへ漲水される水、及び前記第一のタンクから排水される水の水処理を行う水処理部と、
前記第一のタンクと前記水処理部の前記流入口との間に配置された第一の水シール部と、
前記第一のタンクと前記水処理部の前記流出口との間に配置された第二の水シール部と、を備え、
前記第二のタンクは、前記第一の水シール部と前記第二の水シール部との間の区間に接続され、
前記水処理部は、前記第二のタンクへ漲水される水、及び前記第二のタンクから排水される水の少なくとも一方の水処理を行い、
外部と前記水処理部の前記流入口とを、前記第一の水シール部を介して接続する第一の流入ラインと、
前記第一のタンクと前記水処理部の前記流入口とを、前記第一の水シール部を介して接続する第二の流入ラインと、
前記第二のタンクと前記水処理部の前記流入口とを接続する第三の流入ラインと、
外部と前記水処理部の前記流入口とを接続する第四の流入ラインと、
前記第一の流入ライン及び前記第二の流入ラインに設けられる第一のポンプと、
前記第三の流入ライン及び前記第四の流入ラインに設けられる第二のポンプと、を更に備え、
前記第一のポンプは、
外部から取り込んだ水を前記水処理部を介して前記第一のタンクへ圧送し漲水すること、及び、
前記第一のタンクから汲み上げた水を前記水処理部を介して外部へ圧送し排水することを可能とし、
前記第二のポンプは、
外部から取り込んだ水を前記水処理部を介して前記第二のタンクへ圧送し漲水すること、及び、
前記第二のタンクから汲み上げた水を前記水処理部を介して外部へ圧送し排水することを可能としていること、を特徴とする水処理システム。
【請求項３】
石油系液体貨物を運搬する船舶に適用される水処理システムであって、
前記石油系液体貨物が収容される収容タンクに隣接した第一のタンクと、
前記収容タンクに隣接しない第二のタンクと、
水が流入する流入口、及び、水が流出する流出口を有し、前記第一のタンクへ漲水される水、及び前記第一のタンクから排水される水の水処理を行う水処理部と、
前記第一のタンクと前記水処理部の前記流入口との間に配置された第一の水シール部と、
前記第一のタンクと前記水処理部の前記流出口との間に配置された第二の水シール部と、を備え、
前記第二のタンクは、前記第一の水シール部と前記第二の水シール部との間の区間に接続され、
前記水処理部は、前記第二のタンクへ漲水される水、及び前記第二のタンクから排水される水の少なくとも一方の水処理を行い、
外部と前記水処理部の前記流入口とを、前記第一の水シール部を介して接続する第一の流入ラインと、
前記第一のタンクと前記水処理部の前記流入口とを、前記第一の水シール部を介して接続する第二の流入ラインと、
前記第二のタンクと前記水処理部の前記流入口とを接続する第三の流入ラインと、
外部と前記水処理部の前記流入口とを接続する第四の流入ラインと、
前記第一の流入ライン及び前記第二の流入ラインに設けられる第一のポンプと、
前記第三の流入ラインに設けられる第二のポンプと、
前記第四の流入ラインに設けられる第三のポンプと、を更に備え、
前記第一のポンプは、
外部から取り込んだ水を前記水処理部を介して前記第一のタンクへ圧送し漲水すること、及び、
前記第一のタンクから汲み上げた水を前記水処理部を介して外部へ圧送し排水することを可能とし、
前記第二のポンプは、
前記第二のタンクから汲み上げた水を前記水処理部を介して外部へ圧送し排水することを可能とし、
前記第三のポンプは、
外部から取り込んだ水を前記水処理部を介して前記第二のタンクへ圧送し漲水することを可能としていること、を特徴とする水処理システム。
【発明の詳細な説明】
【技術分野】
【０００１】
本発明は、石油系液体貨物を運搬する船舶における水処理システムに関する。
【背景技術】
【０００２】
従来、船舶におけるバラストタンク、アフトピークタンク等のタンクの水を処理する水処理システムとして、例えばバラストタンクのバラスト水を電解槽に貯留して当該槽内で電気分解することによって、水処理を行うバラスト水処理装置が知られている（例えば、特許文献１参照）。このバラスト水処理装置は、ポンプで海水を吸引することで未処理のバラスト水を取り込んで電気分解によって水処理を行った後、バラストタンク内に処理水を漲水する。あるいは、バラストタンクから排水されたバラスト水を電気分解によって水処理を行った後、処理済みのバラスト水を海水中へ排水する。
【先行技術文献】
【特許文献】
【０００３】
【特許文献１】特開２００８−１８８５０６号公報
【発明の概要】
【発明が解決しようとする課題】
【０００４】
ところで、石油系液体貨物を運搬する船舶に対して上述のような水処理システムを適用する場合、安全性を向上することが求められている。更に、種々のタンクが設けられている船舶への水処理システムの適用に際し、簡易な構成で安全性を向上することが求められている。
【０００５】
そこで、本発明は、石油系液体貨物を運搬する船舶に対して適用した場合に、簡易な構成で安全性を向上できる水処理システムを提供することを目的とする。
【課題を解決するための手段】
【０００６】
本発明に係るレベル検知システムは、石油系液体貨物を運搬する船舶に適用される水処理システムであって、石油系液体貨物が収容される収容タンクに隣接した第一のタンクと、収容タンクに隣接しない第二のタンクと、水が流入する流入口、及び、水が流出する流出口を有し、第一のタンクへ漲水される水、及び第一のタンクから排水される水の水処理を行う水処理部と、第一のタンクと水処理部の流入口との間に配置された第一の水シール部と、第一のタンクと水処理部の流出口との間に配置された第二の水シール部とを備え、第二のタンクは、第一の水シール部と第二の水シール部との間の区間に接続され、水処理部は、第二のタンクへ漲水される水、及び第二のタンクから排水される水の少なくとも一方の水処理を行うことを特徴とする。
【０００７】
本発明では、第一のタンクと水処理部との間には、第一の水シール部及び第二の水シール部が配置されている。これにより、第一の水シール部及び第二の水シール部に挟まれた水処理部を含む区間は、収容タンクに隣接した第一のタンクと雰囲気的に遮断され、第一のタンクから気体が流入することが防止される。このため、第一の水シール部及び第二の水シール部に挟まれた水処理部を含む区間は、安全性が向上される。また、収容タンクに隣接していない第二のタンクは、上述のように安全性が向上された第一の水シール部及び第二の水シール部に挟まれた水処理部を含む区間に接続されている。従って、第二のタンクの安全性が向上される。そして、第一のタンク及び第二のタンクの水処理は１つの水処理部によって行われるため、水処理システム全体を簡易な構成とすることができる。従って、簡易な構成により安全性を向上できる。
【０００８】
ここで、外部と水処理部の流入口とを、第一の水シール部を介して接続する第一の流入ラインと、第一のタンクと水処理部の流入口とを、第一の水シール部を介して接続する第二の流入ラインと、第二のタンクと水処理部の流入口とを接続する第三の流入ラインと、第一の流入ライン及び第二の流入ラインに設けられる第一のポンプと、第三の流入ラインに設けられる第二のポンプとを更に備え、第一のポンプは、外部から取り込んだ水を水処理部を介して第一のタンクへ圧送し漲水すること、第一のタンクから汲み上げた水を水処理部を介して外部へ圧送し排水すること、及び、外部から取り込んだ水を水処理部を介して第二のタンクへ圧送し漲水することを可能とし、第二のポンプは、第二のタンクから汲み上げた水を水処理部を介して外部へ圧送し排水することを可能としていることが好ましい。こうすると、第一のタンクにおける漲水、排水、及び第二のタンクにおける漲水を、第一のポンプにより行うことが可能となり、水処理システム全体の制御が容易となる。
【０００９】
また、外部と水処理部の流入口とを、第一の水シール部を介して接続する第一の流入ラインと、第一のタンクと水処理部の流入口とを、第一の水シール部を介して接続する第二の流入ラインと、第二のタンクと水処理部の流入口とを接続する第三の流入ラインと、外部と水処理部の流入口とを接続する第四の流入ラインと、第一の流入ライン及び第二の流入ラインに設けられる第一のポンプと、第三の流入ライン及び第四の流入ラインに設けられる第二のポンプとを更に備え、第一のポンプは、外部から取り込んだ水を水処理部を介して第一のタンクへ圧送し漲水すること、及び、第一のタンクから汲み上げた水を水処理部を介して外部へ圧送し排水することを可能とし、第二のポンプは、外部から取り込んだ水を水処理部を介して第二のタンクへ圧送し漲水すること、及び、第二のタンクから汲み上げた水を水処理部を介して外部へ圧送し排水することを可能としていることが好ましい。こうすると、第一のタンクにおける漲水、排水を第一のポンプで行い、第二のタンクにおける漲水、排水を第二のポンプで行うため、第一のタンク及び第二のタンクの大きさ等に応じた運転が可能になる。
【００１０】
また、外部と水処理部の流入口とを、第一の水シール部を介して接続する第一の流入ラインと、第一のタンクと水処理部の流入口とを、第一の水シール部を介して接続する第二の流入ラインと、第二のタンクと水処理部の流入口とを接続する第三の流入ラインと、外部と水処理部の流入口とを接続する第四の流入ラインと、第一の流入ライン及び第二の流入ラインに設けられる第一のポンプと、第三の流入ラインに設けられる第二のポンプと、第四の流入ラインに設けられる第三のポンプとを更に備え、第一のポンプは、外部から取り込んだ水を水処理部を介して第一のタンクへ圧送し漲水すること、及び、第一のタンクから汲み上げた水を水処理部を介して外部へ圧送し排水することを可能とし、第二のポンプは、第二のタンクから汲み上げた水を水処理部を介して外部へ圧送し排水することを可能とし、第三のポンプは、外部から取り込んだ水を水処理部を介して第二のタンクへ圧送し漲水することを可能としていることが好ましい。こうすると、第一のタンクにおける漲水、排水を第一のポンプで行い、第二のタンクにおける排水を第二のポンプで行い、さらに、第二のタンクにおける漲水を第三のポンプで行うため、第一のタンク及び第二のタンクの大きさ等の他、第二のタンクにおける漲水及び排水に応じた運転が可能になる。
【発明の効果】
【００１１】
本発明によれば、石油系液体貨物を運搬する船舶に対して適用した場合に、簡易な構成で安全性を向上できる水処理システムを提供することが可能となる。
【図面の簡単な説明】
【００１２】
【図１】本発明の第一実施形態に係る水処理システムが設けられた船舶を示す概略構成図である。
【図２】図１の水処理システムのバラストタンクにおける漲水時の水の流れを示す概略構成図である。
【図３】図１の水処理システムのバラストタンクにおける排水時の水の流れを示す概略構成図である。
【図４】図１の水処理システムのアフトピークタンクにおける漲水時の水の流れを示す概略構成図である。
【図５】図１の水処理システムのアフトピークタンクにおける排水時の水の流れを示す概略構成図である。
【図６】本発明の第二実施形態に係る水処理システムのアフトピークタンクにおける漲水時の水の流れを示す概略構成図である。
【図７】図６の水処理システムのアフトピークタンクにおける排水時の水の流れを示す概略構成図である。
【図８】本発明の第三実施形態に係る水処理システムのアフトピークタンクにおける漲水時の水の流れを示す概略構成図である。
【図９】図８の水処理システムのアフトピークタンクにおける排水時の水の流れを示す概略構成図である。
【発明を実施するための形態】
【００１３】
以下、図面を参照しつつ本発明の水処理システムの好適な実施形態について詳細に説明する。なお、同一又は相当要素には同一の符号を付し、重複する説明は省略する。
【００１４】
[第一実施形態]
図１は、本発明の第一実施形態に係る水処理システムが設けられた船舶を示す概略構成図である。図１に示すように、水処理システム１Ａは、原油や液化天然ガスなどの石油系液体貨物を運搬するタンカー等の船舶２に設けられている。この船舶２は、バラストタンク（第一のタンク）３、カーゴタンク（収容タンク）４、ポンプルーム５、エンジンルーム６、及びアフトピークタンク（第二のタンク）７を備えている。
【００１５】
バラストタンク３は、船舶２内の貨物積載量に応じて外部から取り込まれた水を漲水又は排水することによって、水の重さで船舶２全体を貨物量によらず一定に降下させる機能を有するものであり、例えば船舶２の前側（図１において右側）略半分に設けられている。バラストタンク３は、貨物が少ないときに水を漲水し、貨物が多いときに水を排水する（詳しくは後述）。このバラストタンク３は、例えば、船舶２の外板の内側に内部隔壁を設けて二重船殻構造とし、さらに船舶２の左右方向（図１において紙面に垂直な方向）に沿った区画壁により複数の区画に画設されており、船舶２の左右方向に沿った断面において、船体の左側面、底面、及び右側面に沿ったＵ字状を呈している。
【００１６】
カーゴタンク４は、石油系液体貨物を収容するためのタンクであり、バラストタンク３と隣接するように隔壁を設けてＵ字状のバラストタンク３の内側に設けられており、船舶２の左右方向に沿った区画壁により複数の区画に画設されている。
【００１７】
ポンプルーム５は、第一ポンプＰ１（後述）を配置するための室であり、バラストタンク３及びカーゴタンク４の後方に設けられている。エンジンルーム６は、船舶２のエンジンを配置するための室であり、ポンプルーム５の後方に設けられている。
【００１８】
アフトピークタンク７は、船舶２内の運転用燃料の量に応じて外部から取り込まれた水を漲水又は排水することによって、船舶２の運転用燃料の量によらず船舶２の後端下部に設けられた推進器２１が水面から出ないように船舶２の姿勢を調整する機能を有するものであり、エンジンルーム６の後方の室、すなわち、カーゴタンク４と隣接しない位置に設けられている。このアフトピークタンク７は、運転用燃料が少ないときに水を漲水し、運転用燃料が多いときに水を排水する（詳しくは後述）。アフトピークタンク７は、バラストタンク３に比して、容量の小さいタンクとなっている。
【００１９】
なお、船舶２の甲板上には、水処理部８（後述）を配置するための水処理装置室１０、及び、乗組員が居住する居住区２２が設けられている。また、船舶２の後端下部には、船舶２の推進方向を制御するための舵２３が設けられている。
【００２０】
次に、水処理システム１Ａについて詳細に説明する。図２は、図１の水処理システムのバラストタンクにおける漲水時の水の流れを示す概略構成図であり、水処理システム１Ａの概略構成を示している。図２に示すように、水処理システム１Ａは、上述のバラストタンク３及びアフトピークタンク７の他に、シーチェストＣ１，Ｃ２、水処理部８、第一水シール部Ｓ１、第二水シール部Ｓ２、第一ポンプＰ１、第二ポンプＰ２、弁Ｖ１〜Ｖ８、及び制御部９を備えて構成されている。
【００２１】
シーチェストＣ１，Ｃ２は、海水や清水等の水を船外から取り込むための取込口として機能すると共に、水を船外へ排水する排水口として機能する。シーチェストＣ１は、配管Ｌ１，Ｌ２，Ｌ３により、バラストタンク３と接続されている。シーチェストＣ２は、配管Ｌ３，Ｌ４，Ｌ５により、バラストタンク３と接続されている。
【００２２】
水処理部８は、水の水処理（水生生物の除去）を行うものであり、上述のように水処理装置室１０に配置されている。この水処理部８は、バラストタンク３へ漲水される水、バラストタンク３から排水される水、アフトピークタンク７へ漲水される水、及びアフトピークタンク７から排水される水の水処理を行う（詳しくは後述）。水処理部８としては、種々のものを用いることができ、例えば電極に電力を印加することにより電解処理するもの、紫外線ランプに電力を印加して紫外線照射することにより水処理するもの、電力の印加で電場を発生させて電気ショックを与えることにより水処理するもの、等が挙げられる。水処理部８は、不図示の配線により制御部９に接続されている。また、水処理部８は、水が流入する流入口８１、及び水が流出する流出口８２を有している。
【００２３】
流入口８１は、配管Ｌ６，Ｌ１，Ｌ２，Ｌ３によりバラストタンク３と接続されている。また、流入口８１は、配管Ｌ６，Ｌ１によりシーチェストＣ１と接続されている。さらに、流入口８１は、配管Ｌ７,Ｌ６によりアフトピークタンク７に接続されている。
【００２４】
流出口８２は、配管Ｌ４，Ｌ３によりバラストタンク３と接続されている。また、流出口８２は、配管Ｌ４，Ｌ５によりシーチェストＣ２に接続されている。さらに、流出口８２は、配管Ｌ４，Ｌ８によりアフトピークタンク７に接続されている。
【００２５】
第一水シール部Ｓ１は、水処理部８の流入口８１とバラストタンク３との間の通気を遮断する機能を有するものであり、バラストタンク３と水処理部８の流入口８１との間に配置されている。具体的には、第一水シール部Ｓ１は、配管Ｌ６の途中に設けられており、上下方向に蛇行してＵ字状を呈すＵ字管（不図示）により構成されている。また、第二水シール部Ｓ２は、水処理部８の流出口８２とバラストタンク３との間の通気を遮断する機能を有するものであり、バラストタンク３と水処理部８の流出口８２との間に配置されている。具体的には、第二水シール部Ｓ２は、配管Ｌ４において、配管Ｌ３の接続部分と水処理部８の流出口８２との間に設けられており、第一水シール部Ｓ１と同様、Ｕ字管により構成されている。
【００２６】
そして、第一水シール部Ｓ１及び第二水シール部Ｓ２に挟まれた水処理部８を含む区間は、カーゴタンク４と隣接するバラストタンク３と雰囲気的に遮断されており、バラストタンク３内から気体が流入することが防止されているため、安全性が向上されている。アフトピークタンク７は、このように安全性が向上された区間、すなわち第一水シール部Ｓ１と第二水シール部Ｓ２とに挟まれた水処理部８を含む区間に接続されている。具体的には、アフトピークタンク７から水処理部８の流入口８１へ向かって延びる配管Ｌ７は、配管Ｌ６のうち第一水シール部Ｓ１と水処理部８の流入口８１との間の区間に接続されている。アフトピークタンク７から水処理部８の流出口８２へ向かって延びる配管Ｌ８は、配管Ｌ４のうち第二水シール部Ｓ２と水処理部８の流出口８２との間の区間に接続されている。一方、アフトピークタンク７は、カーゴタンク４と隣接するバラストタンク３と雰囲気的に遮断されていない区間（後述する防爆エリア）とは接続されていない。すなわち、アフトピークタンク７は、バラストタンク３と第一水シール部Ｓ１との間の区間、及び当該区間と連通する区間（例えば、配管Ｌ１のうち、配管Ｌ２との接続部分とシーチェストＣ１との間など）には接続されない。また、アフトピークタンク７は、バラストタンク３と第二水シール部Ｓ２との間の区間、及び当該区間と連通する区間（例えば、配管Ｌ５の区間、及び配管Ｌ４のうち、配管Ｌ３との接続部分と配管Ｌ５との接続部分との間など）には接続されない。具体的には、アフトピークタンク７は、配管Ｌ１〜Ｌ６のうち、水処理部８を挟む第一水シール部Ｓ１と第二水シール部Ｓ２との間を除く区間には、接続されていない。
【００２７】
第一ポンプＰ１及び第二ポンプＰ２は水を圧送するためのポンプであり、第一ポンプＰ１は上述のようにポンプルーム５に配置され、第二ポンプＰ２はエンジンルーム６に配置されている。第一ポンプＰ１は、主にバラストタンク用に設けられたポンプであり、配管Ｌ１において、配管Ｌ２の接続部分と配管Ｌ６の接続部分との間に配置されている。第二ポンプＰ２は、主にアフトピークタンク用に設けられたポンプであって、第一ポンプＰ１に比して小型であり、配管Ｌ７の途中に配置されている。また、第二ポンプＰ２は、配管Ｌ７により、第一水シール部Ｓ１及び第二水シール部Ｓ２に挟まれた水処理部８を含む区間、すなわち、安全性が向上されている区間に接続されており、これにより、第二ポンプＰ２の安全性が向上されている。これら第一ポンプＰ１及び第二ポンプＰ２は、それぞれ不図示の配線により制御部９に接続されている。
【００２８】
弁Ｖ１〜Ｖ８は、それぞれ配管の開閉を行う開閉手段として機能するものであり、例えば電動弁や空気駆動弁が用いられている。弁Ｖ１は、配管Ｌ１において、配管Ｌ２の接続部分とシーチェストＣ１との間に配置されている。弁Ｖ２は、配管Ｌ２の途中に配置されている。弁Ｖ３は、配管Ｌ３において、配管Ｌ２の接続部分と配管Ｌ４への接続部分との間に配置されている。弁Ｖ４は、配管Ｌ１において、配管Ｌ６の接続部分と第一ポンプＰ１との間に配置されている。弁Ｖ５は、配管Ｌ４において、配管Ｌ３の接続部分と配管Ｌ５の接続部分との間に配置されている。弁Ｖ６は、配管Ｌ７において、配管Ｌ６の接続部分と第二ポンプＰ２との間に配置されている。弁Ｖ７は、配管Ｌ８の途中に配置されている。弁Ｖ８は、配管Ｌ７において、第二ポンプＰ２とアフトピークタンク７との間に配置されている。これら弁Ｖ１〜Ｖ８は、不図示の配線によりそれぞれ制御部９に接続されている。
【００２９】
制御部９は、水処理システム１Ａ全体の制御を行うためのものであり、具体的には、水処理部８の制御、第一ポンプＰ１の制御、第二ポンプＰ２の制御、及び弁Ｖ１〜Ｖ８の制御等を行う。この制御部９は、例えば居住区２２等に設けられている（図１参照）。
【００３０】
以上のような構成によって、水処理システム１Ａは、外部と水処理部８の流入口８１とを、第一水シール部Ｓ１を介して接続する第一流入ラインＷｉ１と、バラストタンク３と水処理部８の流入口８１とを、第一水シール部Ｓ１を介して接続する第二流入ラインＷｉ２と、アフトピークタンク７と水処理部８の流入口８１とを（第一水シール部Ｓ１を介さずに）接続する第三流入ラインＷｉ３と、を有することとなる。このような流入ラインＷｉ１〜Ｗｉ３において、第一ポンプＰ１は、第一流入ラインＷｉ１及び第二流入ラインＷｉ２に設けられる。また、第二ポンプＰ２は、第三流入ラインＷｉ３に設けられる。
【００３１】
また、水処理システム１Ａは、水処理部８の流出口８２とバラストタンク３とを、第二水シール部Ｓ２を介して接続する第一流出ラインＷｏ１と、水処理部８の流出口８２と外部とを、第二水シール部Ｓ２を介して接続する第二流出ラインＷｏ２と、水処理部８の流出口８２とアフトピークタンク７とを（第二水シール部Ｓ２を介さずに）接続する第三流出ラインＷｏ３と、を有することとなる。また、制御部９及び各弁Ｖ１〜Ｖ８は、流入ラインＷｉ１〜Ｗｉ３及び流出ラインＷｏ１〜Ｗｏ３の各ラインを、動作にあわせて開閉する開閉手段として機能する。
【００３２】
そして、第一ポンプＰ１は、シーチェストＣ１から取り込んだ水を水処理部８を介してバラストタンク３へ圧送し漲水する機能、バラストタンク３から汲み上げた水を水処理部８を介してシーチェストＣ２から外部へ圧送し排水する機能、及び、シーチェストＣ１から取り込んだ水を水処理部８を介してアフトピークタンク７へ圧送し漲水する機能を有する。また、第二ポンプＰ２は、アフトピークタンク７から汲み上げた水を水処理部８を介してシーチェストＣ２から外部へ圧送し排水する機能を有する。
【００３３】
次に、水処理システム１Ａの動作について説明する。まず、バラストタンク３の漲水時の動作について説明する。
【００３４】
図２に示すように、バラストタンク３の漲水時には、制御部９は、各弁を開閉制御することで、第一流入ラインＷｉ１を開き、第二流入ラインＷｉ２及び第三流入ラインＷｉ３を閉じる。具体的には、制御部９は、弁Ｖ１、Ｖ４を開にし、弁Ｖ２，Ｖ６を閉にすることで、配管Ｌ１，Ｌ６により、外部に通じたシーチェストＣ１と水処理部８の流入口８１とを、第一水シール部Ｓ１を介して接続する第一流入ライン（流入経路）Ｗｉ１を形成する。
【００３５】
また、制御部９は、各弁を開閉制御することで、第一流出ラインＷｏ１を開き、第二流出ラインＷｏ２及び第三流出ラインＷｏ３を閉じる。具体的には、制御部９は、弁Ｖ３を開にし、上述のように弁Ｖ２を閉にすると共に、弁Ｖ７，Ｖ５を閉にすることで、配管Ｌ４，Ｌ３により、水処理部８の流出口８２とバラストタンク３とを、第二水シール部Ｓ２を介して接続する第一流出ライン（流出経路）Ｗｏ１を形成する。
【００３６】
そして、制御部９は、第一ポンプＰ１を駆動し、シーチェストＣ１を通じて外部から水を取り込み、取り込んだ水を水処理部８を介してバラストタンク３に圧送し漲水する。なお、この際、弁Ｖ８は、ここでは閉とされている。
【００３７】
次に、バラストタンク３の排水時の動作について説明する。図３は、図１の水処理システムのバラストタンクにおける排水時の水の流れを示す概略構成図である。
【００３８】
図３に示すように、バラストタンク３の排水時には、制御部９は、各弁を開閉制御することで、第二流入ラインＷｉ２を開き、第一流入ラインＷｉ１及び第三流入ラインＷｉ３を閉じる。具体的には、制御部９は、弁Ｖ２，Ｖ４を開にし、弁Ｖ３，Ｖ１，Ｖ６を閉にすることで、配管Ｌ３，Ｌ２，Ｌ１，Ｌ６により、バラストタンク３と水処理部８の流入口８１とを、第一水シール部Ｓ１を介して接続する第二流入ラインＷｉ２を形成する。
【００３９】
また、制御部９は、各弁を開閉制御することで、第二流出ラインＷｏ２を開き、第一流出ラインＷｏ１及び第三流出ラインＷｏ３を閉じる。具体的には、制御部９は、弁Ｖ５を開にし、上述のように弁Ｖ３を閉にすると共に、弁Ｖ７を閉にすることで、配管Ｌ４，Ｌ５により、水処理部８の流出口８２と外部に通じたシーチェストＣ２とを、第二水シール部Ｓ２を介して接続する第二流出ラインＷｏ２を形成する。
【００４０】
そして、制御部９は、第一ポンプＰ１を駆動し、バラストタンク３から水を汲み上げ、汲み上げた水を水処理部８を介してシーチェストＣ２から外部に圧送し排水する。なお、この際、弁Ｖ８は、ここでは閉とされている。
【００４１】
次に、アフトピークタンク７の漲水時の動作について説明する。図４は、図１の水処理システムのアフトピークタンクにおける漲水時の水の流れを示す概略構成図である。
【００４２】
図４に示すように、アフトピークタンク７の漲水時には、制御部９は、各弁を開閉制御することで、第一流入ラインＷｉ１を開き、第二流入ラインＷｉ２及び第三流入ラインＷｉ３を閉じる。具体的には、制御部９は、上述のバラストタンク３の漲水時（図２参照）と同様に、弁Ｖ１、Ｖ４を開にし、弁Ｖ２，Ｖ６を閉にすることで、配管Ｌ１，Ｌ６により、外部に通じたシーチェストＣ１と水処理部８の流入口８１とを、第一水シール部Ｓ１を介して接続する第一流入ラインＷｉ１を形成する。
【００４３】
また、制御部９は、各弁を開閉制御することで、第三流出ラインＷｏ３を開き、第一流出ラインＷｏ１及び第二流出ラインＷｏ２を閉じる。具体的には、制御部９は、弁Ｖ７を開にし、弁Ｖ３，Ｖ５を閉にすることで、配管Ｌ４，Ｌ８により、水処理部８の流出口８２とアフトピークタンク７とを接続する第三流出ラインＷｏ３を形成する。
【００４４】
そして、制御部９は、第一ポンプＰ１を駆動し、シーチェストＣ１を通じて外部から水を取り込み、取り込んだ水を水処理部８を介してアフトピークタンク７に圧送し漲水する。なお、この際、弁Ｖ８は、ここでは閉とされている。
【００４５】
次に、アフトピークタンク７の排水時の動作について説明する。図５は、図１の水処理システムのアフトピークタンクにおける排水時の水の流れを示す概略構成図である。
【００４６】
図５に示すように、アフトピークタンク７の排水時には、制御部９は、各弁を開閉制御することで、第三流入ラインＷｉ３を開き、第一流入ラインＷｉ１及び第二流入ラインＷｉ２を閉じる。具体的には、制御部９は、弁Ｖ８，Ｖ６を開にし、弁Ｖ４を閉にすることで、配管Ｌ７，Ｌ６により、アフトピークタンク７と水処理部８の流入口８１とを接続する第三流入ラインＷｉ３を形成する。
【００４７】
また、制御部９は、各弁を開閉制御することで、第二流出ラインＷｏ２を開き、第一流出ラインＷｏ１及び第三流出ラインＷｏ３を閉じる。具体的には、制御部９は、上述のバラストタンク３の排水時（図３参照）と同様に、弁Ｖ５を開にし、弁Ｖ３，Ｖ７を閉にすることで、配管Ｌ４，Ｌ５により、水処理部８の流出口８２と外部に通じたシーチェストＣ２とを、第二水シール部Ｓ２を介して接続する第二流出ラインＷｏ２を形成する。
【００４８】
そして、制御部９は、第二ポンプＰ２を駆動し、アフトピークタンク７から水を汲み上げ、汲み上げた水を水処理部８を介してシーチェストＣ２から外部に圧送し排水する。なお、この際、弁Ｖ１，Ｖ２は、ここでは閉とされている。
【００４９】
次に、本実施形態に係る水処理システム１Ａの作用・効果について説明する。
【００５０】
まず、石油系液体貨物を運搬する船舶２は、石油系液体貨物との位置関係により、防爆エリアと非防爆エリアに分けられる。防爆エリアとは、万が一の場合であっても確実に安全性を向上できるように、防爆構造や防爆配置等が必要とされるエリアである。一方、非防爆エリアとは、前述のような防爆構造や防爆配置等の制限が課されないエリアである。本実施形態では、バラストタンク３は、石油系液体貨物が収容されるカーゴタンク４と（隔壁を介して）隣接しているため、防爆エリアに該当する。また、配管Ｌ１〜Ｌ６のように当該バラストタンク３と連通しうる区画（バルブの開閉や水の流れによって連通しない時があるとしても、一時的にでも連通する部分も含まれる）も、防爆エリアに該当する。一方、アフトピークタンク７のように、石油系液体貨物が収容されるカーゴタンク４と（隔壁を介して）隣接しておらず、間に他の空間が介在しているエリアは、非防爆エリアに該当する。
【００５１】
ここで、船舶においては、バラストタンク３やアフトピークタンク７等に漲水される水、及び、これらのタンクから排水される水を、水処理することが求められている。このような要求に対して、船舶に水処理システムを適用する場合、防爆エリアに係るバラストタンク３の水処理の安全性を向上することも求められる。このような安全性に対する要求と同時に、当該安全性の向上を、簡単な構成にて実現することも求められている。
【００５２】
このような要求に対し、本発明者らは鋭意研究を重ねることにより、簡単な構成にて安全性を向上できる構造を見出すに至った。すなわち、本実施形態に係る水処理システム１Ａでは、バラストタンク３と水処理部８との間には、第一水シール部Ｓ１及び第二水シール部Ｓ２が介されている。これにより、第一水シール部Ｓ１及び第二水シール部Ｓ２に挟まれた水処理部８を含む区間は、カーゴタンク４に隣接したバラストタンク３と雰囲気的に遮断される。従って、バラストタンク３から気体が流入することが防止され、水処理部８の安全性が向上される。
【００５３】
一方で、上述のように石油系液体貨物を運搬する船舶２は、防爆エリアと非防爆エリアとを有している。このような構造では、防爆エリアに対する水処理システムと非防爆エリアに対する水処理システムとは、完全に分離されており、互いに独立したシステムとすることが慣例である。すなわち、防爆エリアに該当するバラストタンク３に対しては、バラストタンク専用の水処理システムを構築し、非防爆エリアに該当するアフトピークタンク７に対しては、アフトピークタンク専用の水処理システムを構築するものと考えられていた。仮に、バラストタンク３とアフトピークタンク７とで水処理システムを共用しようとした場合、次のような問題が生じる。すなわち、アフトピークタンク７の水処理のために、防爆エリアに該当するバラストタンク３用の水処理システム（水処理装置や配管）をアフトピークタンク７に流用することにより、当該水処理システムを介して、元々非防爆エリアであったアフトピークタンク７までが防爆エリアに該当することとなってしまう。この場合、アフトピークタンク７やその周辺構造に対しても、防爆構造や防爆配置等が課されることとなってしまい、船舶全体として構造が必要以上に複雑になるという問題、コストが大幅に増加するという問題が生じる。
【００５４】
しかしながら、このような困難性を前提としつつ、本発明者らは、更なる鋭意研究を重ねた結果、次の見地を見出すに至った。すなわち、本発明者らは、第一水シール部Ｓ１及び第二水シール部Ｓ２によって水処理部８とバラストタンク３とを雰囲気的に遮断する構成を採用した結果、バラストタンク３の水処理を行うためのシステムであるにも関わらず、第一水シール部Ｓ１及び第二水シール部Ｓ２に挟まれた水処理部８を含む区間のみは、局所的に安全性を向上できるとして構成されていることを見出した。
【００５５】
以上のような見地に基づいて、本発明者らは、次のような構造を見出すに至った。すなわち、水処理システム１Ａでは、カーゴタンク４に隣接していないアフトピークタンク７は、バラストタンク３から気体が流入することが防止されている第一水シール部Ｓ１と水処理部８の流入口８１との間、及び、水処理部８の流出口８２と第二水シール部Ｓ２との間に接続されており、バラストタンク３とアフトピークタンク７とで水処理部を共用するようになっている。このため、アフトピークタンク７の安全性が向上されると共に、バラストタンク３及びアフトピークタンク７の水処理を１つの水処理部８で行うことが可能となっている。
【００５６】
また、水処理システム１Ａでは、バラストタンク３及びアフトピークタンク７の水処理は１つの水処理部８によって行われるため、水処理システム１Ａ全体が簡易な構成となっている。従って、バラストタンク３用の水処理部及びアフトピークタンク７用の水処理部をそれぞれ別々に設ける場合に比して、簡易な構成により安全性を向上できると共に、省スペース化及び低コスト化を図ることが可能となっている。
【００５７】
また、水処理システム１Ａでは、バラストタンク３における漲水、排水、及びアフトピークタンク７における漲水、排水の合計４つの動作のうち、バラストタンク３における漲水、排水、及びアフトピークタンク７における漲水の３つの動作を第一ポンプＰ１により行うため、水処理システム全体の制御が容易となる。
【００５８】
ここで、通常、バラストタンク及びアフトピークタンクを備えている船舶であれば、第一ポンプＰ１に相当するポンプがバラストタンク用に既設されており、第二ポンプＰ２に相当するポンプがアフトピークタンク用に既設されている場合がある。このような第一ポンプＰ１及び第二ポンプＰ２が既設されている既存の船舶に新たに水処理システムを導入する場合、水処理システム１Ａであれば、水処理部８、第一水シール部Ｓ１、及び第二水シール部Ｓ２を設け、配管を調整するだけで容易にシステムを構成することができる。よって、コストの増加を抑制しつつ水処理システム１Ａを設けることができる。
【００５９】
また、通常、船舶では、バラストタンク３における漲水、排水、及びアフトピークタンク７における漲水、排水のうち、複数の処理が連続して行われる場合がある。これに対し、水処理システム１Ａでは、複数の処理を１つの制御部９から操作することが可能となっているため、バラストタンク３用の制御部及びアフトピークタンク７用の制御部をそれぞれ別々の場所に設ける場合に比して、連続する複数の処理を１つの制御部９により容易に操作することが可能であり、作業員の移動等の負担を軽減することが可能となっている。
【００６０】
[第二実施形態]
図６は、本発明の第二実施形態に係る水処理システムのアフトピークタンクにおける漲水時の水の流れを示す概略構成図である。図６に示すように、本実施形態に係る水処理システム１Ｂが、第一実施形態に係る水処理システム１Ａ（図２参照）と異なる点は、アフトピークタンク７の漲水を第二ポンプＰ２で行う点である。具体的な構成として異なっている点は、シーチェストＣ３が追加されている点、弁Ｖ９〜Ｖ１２が追加されている点である。
【００６１】
より具体的には、シーチェストＣ３は、配管Ｌ９により、配管Ｌ７において弁Ｖ８とアフトピークタンク７との間に接続されると共に、配管Ｌ１０により、配管Ｌ８において弁Ｖ７とアフトピークタンク７との間に接続されている。弁Ｖ９は、配管Ｌ７において、配管Ｌ９の接続部分とアフトピークタンク７との間に配置されている。弁Ｖ１０は、配管Ｌ９の途中に配置されている。弁Ｖ１１は、配管Ｌ８において、配管Ｌ１０の接続部分とアフトピークタンク７との間に配置されている。弁Ｖ１２は、配管Ｌ１０の途中に配置されている。弁Ｖ９〜Ｖ１２は、弁Ｖ１〜Ｖ８と同様、制御部９に接続されており、制御部９により開閉が制御される。
【００６２】
以上のような構成によって、水処理システム１Ｂは、外部と水処理部８の流入口８１とを、第一水シール部Ｓ１を介して接続する第一流入ラインＷｉ１と、バラストタンク３と水処理部８の流入口８１とを、第一水シール部Ｓ１を介して接続する第二流入ラインＷｉ２と、アフトピークタンク７と水処理部８の流入口８１とを（第一水シール部Ｓ１を介さずに）接続する第三流入ラインＷｉ３と、外部と水処理部８の流入口８１とを（第一水シール部Ｓ１を介さずに）接続する第四流入ラインＷｉ４と、を有することとなる。このような流入ラインＷｉ１〜Ｗｉ４において、第一ポンプＰ１は、第一流入ラインＷｉ１及び第二流入ラインＷｉ２に設けられる。また、第二ポンプＰ２は、第三流入ラインＷｉ３及び第四流入ラインＷｉ４に設けられる。
【００６３】
また、水処理システム１Ｂは、水処理部８の流出口８２とバラストタンク３とを、第二水シール部Ｓ２を介して接続する第一流出ラインＷｏ１と、水処理部８の流出口８２と外部とを、第二水シール部Ｓ２を介して接続する第二流出ラインＷｏ２と、水処理部８の流出口８２とアフトピークタンク７とを（第二水シール部Ｓ２を介さずに）接続する第三流出ラインＷｏ３と、水処理部８の流出口８２と外部とを（第二水シール部Ｓ２を介さずに）接続する第四流出ラインＷｏ４と、を有することとなる。また、制御部９及び各弁Ｖ１〜Ｖ１２は、流入ラインＷｉ１〜Ｗｉ４及び流出ラインＷｏ１〜Ｗｏ４の各ラインを、動作にあわせて開閉する開閉手段として機能する。
【００６４】
そして、第一ポンプＰ１は、シーチェストＣ１から取り込んだ水を水処理部８を介してバラストタンク３へ圧送し漲水する機能、及び、バラストタンク３から汲み上げた水を水処理部８を介してシーチェストＣ２から外部へ圧送し排水する機能を有する。また、第二ポンプＰ２は、シーチェストＣ３から取り込んだ水を水処理部８を介してアフトピークタンク７へ圧送し漲水する機能、及び、アフトピークタンク７から汲み上げた水を水処理部８を介してシーチェストＣ３から外部へ圧送し排水する機能を有する。
【００６５】
次に、水処理システム１Ｂの動作について説明する。なお、水処理システム１Ｂは、バラストタンク３の漲水時、排水時には、第一実施形態に係る水処理システム１Ａと略同様に動作する（図２，３参照）。従って、第二実施形態に係る水処理システム１Ｂにおけるバラストタンク３の漲水時、排水時の概略構成図は省略する。ただし、水処理システム１Ｂにおいても図２及び図３と同様に、各弁の制御によって、第一流入ラインＷｉ１、第二流入ラインＷｉ２、第一流出ラインＷｏ１、及び第二流出ラインＷｏ２が形成される。そこで、まず、アフトピークタンク７の漲水時の動作について説明する。
【００６６】
図６に示すように、アフトピークタンク７の漲水時には、制御部９は、各弁を開閉制御することで、第四流入ラインＷｉ４を開き、第一流入ラインＷｉ１、第二流入ラインＷｉ２、及び第三流入ラインＷｉ３を閉じる。具体的には、制御部９は、弁Ｖ１０，Ｖ８，Ｖ６を開にし、弁Ｖ９、Ｖ４を閉にすることで、配管Ｌ９，Ｌ７，Ｌ６により、外部に通じたシーチェストＣ３と水処理部８の流入口８１とを接続する第四流入ラインＷｉ４を形成する。
【００６７】
また、制御部９は、各弁を開閉制御することで、第三流出ラインＷｏ３を開き、第一流出ラインＷｏ１、第二流出ラインＷｏ２、及び第四流出ラインＷｏ４を閉じる。具体的には、制御部９は、弁Ｖ７，Ｖ１１を開にし、弁Ｖ３，Ｖ５，Ｖ１２を閉にすることで、配管Ｌ４，Ｌ８により、水処理部８の流出口８２とアフトピークタンク７とを接続する第三流出ラインＷｏ３を形成する。
【００６８】
そして、制御部９は、第二ポンプＰ２を駆動し、シーチェストＣ３から水を取込み、取り込んだ水を水処理部８を介してアフトピークタンク７に圧送し漲水する。なお、この際、弁Ｖ１，Ｖ２は、ここでは閉とされている。
【００６９】
次に、アフトピークタンク７の排水時の動作について説明する。図７は、図６の水処理システムのアフトピークタンクにおける排水時の水の流れを示す概略構成図である。
【００７０】
図７に示すように、アフトピークタンク７の排水時には、制御部９は、各弁を開閉制御することで、第三流入ラインＷｉ３を開き、第一流入ラインＷｉ１、第二流入ラインＷｉ２、及び第四流入ラインＷｉ４を閉じる。具体的には、制御部９は、弁Ｖ９，Ｖ８，Ｖ６を開にし、弁Ｖ１０，Ｖ４を閉にすることで、配管Ｌ７，Ｌ６により、アフトピークタンク７と水処理部８の流入口８１とを接続する第三流入ラインＷｉ３を形成する。
【００７１】
また、制御部９は、各弁を開閉制御することで、第四流出ラインＷｏ４を開き、第一流出ラインＷｏ１、第二流出ラインＷｏ２、及び第三流出ラインＷｏ３を閉じる。具体的には、制御部９は、弁Ｖ７，Ｖ１２を開にし、弁Ｖ３，Ｖ５，Ｖ１１を閉にすることで、配管Ｌ４，Ｌ８，Ｌ１０により、水処理部８の流出口８２と外部に通じたシーチェストＣ３とを接続する第四流出ラインＷｏ４を形成する。
【００７２】
そして、制御部９は、第二ポンプＰ２を駆動し、アフトピークタンク７から水を汲み上げ、汲み上げた水を水処理部８を介してシーチェストＣ３から外部に圧送し排水する。なお、この際、弁Ｖ１，Ｖ２は、ここでは閉とされている。
【００７３】
このような本実施形態に係る水処理システム１Ｂが、第一実施形態に係る水処理システム１Ａと略同様な効果を奏することは言うまでもない。加えて、水処理システム１Ｂでは、バラストタンク３の漲水、排水は、第一ポンプＰ１が行い、バラストタンク３よりも容量の小さいアフトピークタンク７の漲水、排水は、第一ポンプＰ１よりも小型の第二ポンプＰ２が行うため、タンクの大きさに合わせた運転や運転に費やすエネルギーの省力化が可能であると共に、アフトピークタンク７における水量の調整が第一実施形態に係る水処理システム１Ａに比して容易となっている。
【００７４】
また、水処理システム１Ｂでは、アフトピークタンク７の漲水、排水は、安全性が向上された第二ポンプＰ２により行われるため、第一ポンプＰ１によりアフトピークタンク７の漲水を行う第一実施形態に係る水処理システム１Ａに比して、安全性がさらに向上されている。
【００７５】
[第三実施形態]
図８は、本発明の第三実施形態に係る水処理システムのアフトピークタンクにおける漲水時の水の流れを示す概略構成図である。図８に示すように、本実施形態に係る水処理システム１Ｃが、第一実施形態に係る水処理システム１Ａ（図２参照）と異なる点は、アフトピークタンク７の漲水を第三ポンプＰ３で行う点である。具体的な構成として異なっている点は、第三ポンプＰ３が追加されている点、シーチェストＣ４が追加されている点、弁Ｖ１３〜Ｖ１６が追加されている点である。
【００７６】
より具体的には、第三ポンプＰ３は、ポンプルーム５に配置されており、配管Ｌ１１により、シーチェストＣ１に接続されると共に、配管Ｌ７において弁Ｖ６と第二ポンプＰ２との間に接続されている。また、第三ポンプＰ３は、配管Ｌ１１，Ｌ７により、第一水シール部Ｓ１及び第二水シール部Ｓ２に挟まれた水処理部８を含む区間、すなわち、安全性が向上されている区間に接続されており、これにより、第三ポンプＰ３の安全性が向上されている。第三ポンプＰ３は、主にアフトピークタンク７の漲水用に設けられており（後述）、第一ポンプＰ１に比して小型となっている。第三ポンプＰ３は、第一ポンプＰ１及び第二ポンプＰ２と同様、制御部９に接続されており、制御部９により制御される。
【００７７】
シーチェストＣ４は、配管Ｌ１２により、配管Ｌ８において弁Ｖ７とアフトピークタンク７との間に接続されている。弁Ｖ１３は、配管Ｌ１１において、配管Ｌ７への接続部分と第三ポンプＰ３との間に配置されている。弁Ｖ１４は、配管Ｌ７において、配管Ｌ１１の接続部分と第二ポンプＰ２との間に配置されている。弁Ｖ１５は、配管Ｌ１２の途中に配置されている。弁Ｖ１６は、配管Ｌ８において、配管Ｌ１２の接続部分とアフトピークタンク７との間に配置されている。弁Ｖ１３〜Ｖ１６は、弁Ｖ１〜Ｖ８と同様、制御部９に接続されており、制御部９により開閉が制御される。
【００７８】
以上のような構成によって、水処理システム１Ｃは、外部と水処理部８の流入口８１とを、第一水シール部Ｓ１を介して接続する第一流入ラインＷｉ１と、バラストタンク３と水処理部８の流入口８１とを、第一水シール部Ｓ１を介して接続する第二流入ラインＷｉ２と、アフトピークタンク７と水処理部８の流入口８１とを（第一水シール部Ｓ１を介さずに）接続する第三流入ラインＷｉ３と、外部と水処理部８の流入口８１とを（第一水シール部Ｓ１を介さずに）接続する第四流入ラインＷｉ４と、を有することとなる。このような流入ラインＷｉ１〜Ｗｉ４において、第一ポンプＰ１は、第一流入ラインＷｉ１及び第二流入ラインＷｉ２に設けられる。また、第二ポンプＰ２は、第三流入ラインＷｉ３に設けられる。また、第三ポンプＰ３は、第四流入ラインＷｉ４に設けられる。
【００７９】
また、水処理システム１Ｃは、水処理部８の流出口８２とバラストタンク３とを、第二水シール部Ｓ２を介して接続する第一流出ラインＷｏ１と、水処理部８の流出口８２と外部とを、第二水シール部Ｓ２を介して接続する第二流出ラインＷｏ２と、水処理部８の流出口８２とアフトピークタンク７とを（第二水シール部Ｓ２を介さずに）接続する第三流出ラインＷｏ３と、水処理部８の流出口８２と外部とを（第二水シール部Ｓ２を介さずに）接続する第四流出ラインＷｏ４と、を有することとなる。また、制御部９及び各弁Ｖ１〜Ｖ８，Ｖ１３〜Ｖ１６は、流入ラインＷｉ１〜Ｗｉ４及び流出ラインＷｏ１〜Ｗｏ４の各ラインを、動作にあわせて開閉する開閉手段として機能する。
【００８０】
そして、第一ポンプＰ１は、シーチェストＣ１から取り込んだ水を水処理部８を介してバラストタンク３へ圧送し漲水する機能、及び、バラストタンク３から汲み上げた水を水処理部８を介してシーチェストＣ２から外部へ圧送し排水する機能を有する。また、第二ポンプＰ２は、アフトピークタンク７から汲み上げた水を水処理部８を介してシーチェストＣ４から外部へ圧送し排水する機能を有する。また、第三ポンプＰ３は、シーチェストＣ１から取り込んだ水を水処理部８を介してアフトピークタンク７へ圧送し漲水する機能を有する。
【００８１】
次に、水処理システム１Ｃの動作について説明する。なお、水処理システム１Ｃは、バラストタンク３の漲水時、排水時には、第一実施形態に係る水処理システム１Ａと略同様に動作する（図２，３参照）。従って、第三実施形態に係る水処理システム１Ｃにおけるバラストタンク３の漲水時、排水時の概略構成図は省略する。ただし、水処理システム１Ｃにおいても図２及び図３と同様に、各弁の制御によって、第一流入ラインＷｉ１、第二流入ラインＷｉ２、第一流出ラインＷｏ１、及び第二流出ラインＷｏ２が形成される。そこで、まず、アフトピークタンク７の漲水時の動作について説明する。
【００８２】
図８に示すように、アフトピークタンク７の漲水時には、制御部９は、各弁を開閉制御することで、第四流入ラインＷｉ４を開き、第一流入ラインＷｉ１、第二流入ラインＷｉ２、及び第三流入ラインＷｉ３を閉じる。具体的には、制御部９は、弁Ｖ１３，Ｖ６を開にし、弁Ｖ１４、Ｖ４を閉にすることで、配管Ｌ１１，Ｌ７，Ｌ６により、外部に通じたシーチェストＣ１と水処理部８の流入口８１とを接続する第四流入ラインＷｉ４を形成する。
【００８３】
また、制御部９は、各弁を開閉制御することで、第二流出ラインＷｏ２を開き、第一流出ラインＷｏ１、第三流出ラインＷｏ３、及び第四流出ラインＷｏ４を閉じる。具体的には、制御部９は、弁Ｖ７，Ｖ１６を開にし、弁Ｖ３，Ｖ５，Ｖ１５を閉にすることで、配管Ｌ４，Ｌ８により、水処理部８の流出口８２とアフトピークタンク７とを第二流出ラインＷｏ２を形成する。
【００８４】
そして、制御部９は、第三ポンプＰ３を駆動し、シーチェストＣ１から水を取込み、取り込んだ水を水処理部８を介してアフトピークタンク７に圧送し漲水する。なお、この際、弁Ｖ１，Ｖ２は、ここでは閉とされている。
【００８５】
次に、アフトピークタンク７の排水時の動作について説明する。図９は、図８の水処理システムのアフトピークタンクにおける排水時の水の流れを示す概略構成図である。
【００８６】
図９に示すように、アフトピークタンク７の排水時には、制御部９は、各弁を開閉制御することで、第三流入ラインＷｉ３を開き、第一流入ラインＷｉ１、第二流入ラインＷｉ２、及び第四流入ラインＷｉ４を閉じる。具体的には、制御部９は、弁Ｖ８，Ｖ１４，Ｖ６を開にし、弁Ｖ１３，Ｖ４を閉にすることで、配管Ｌ７，Ｌ６により、アフトピークタンク７と水処理部８の流入口８１とを接続する第三流入ラインＷｉ３を形成する。
【００８７】
また、制御部９は、各弁を開閉制御することで、第四流出ラインＷｏ４を開き、第一流出ラインＷｏ１、第二流出ラインＷｏ２、及び第三流出ラインＷｏ３を閉じる。具体的には、制御部９は、弁Ｖ７，Ｖ１５を開にし、弁Ｖ３，Ｖ５，Ｖ１６を閉にすることで、配管Ｌ４，Ｌ８，Ｌ１２により、水処理部８の流出口８２と外部に通じたシーチェストＣ４とを接続する第四流出ラインＷｏ４を形成する。
【００８８】
そして、制御部９は、第二ポンプＰ２を駆動し、アフトピークタンク７から水を汲み上げ、汲み上げた水を水処理部８を介してシーチェストＣ４から外部に圧送し排水する。なお、この際、弁Ｖ１，Ｖ２は、ここでは閉とされている。
【００８９】
このような本実施形態に係る水処理システム１Ｃが、第一実施形態に係る水処理システム１Ａと略同様な効果を奏することは言うまでもない。加えて、水処理システム１Ｃでは、バラストタンク３の漲水、排水は、第一ポンプＰ１が行い、バラストタンク３よりも容量の小さいアフトピークタンク７の排水は、第一ポンプＰ１よりも小型の第二ポンプＰ２が行い、さらに、アフトピークタンク７の漲水は、第一ポンプＰ１よりも小型の第三ポンプＰ３が行うため、タンクの大きさに合わせた運転や運転に費やすエネルギーの省力化が可能であると共に、アフトピークタンク７における漲水、排水に合わせた運転が可能となっている。
【００９０】
また、水処理システム１Ｃでは、アフトピークタンク７の漲水は安全性が向上された第三ポンプＰ３により行われ、アフトピークタンク７の排水は安全性が向上された第二ポンプＰ２により行われるため、第一ポンプＰ１によりアフトピークタンク７の漲水を行う第一実施形態に係る水処理システム１Ａに比して、安全性がさらに向上されている。
【００９１】
ここで、通常、アフトピークタンクを備えている船舶であれば、第二ポンプＰ２に相当するポンプがアフトピークタンク用に既設されている場合がある。そして、この第二ポンプＰ２には、例えば消火器等への配管が既設されている場合がある。このような船舶に対し、水処理システム１Ｃでは、弁Ｖ１３，１４を開にし、弁Ｖ６を閉にすることで、安全性が向上された第三ポンプＰ３を第二ポンプＰ２と接続することが可能となっている。このため、例えば第二ポンプＰ２により消火器等に水を圧送する際に、第三ポンプＰ３を補助用のポンプとして併用することが可能となっている。
【００９２】
また、第二ポンプＰ２に消火器等への配管が既設されている場合、第二ポンプＰ２周りの配管関係は複雑になっているおそれがあり、配管の接続関係の制御が複雑になっている場合がある。これに対し、水処理システム１Ｃでは、アフトピークタンク７の漲水用に第三ポンプＰ３を設けているため、アフトピークタンク７の漲水時の制御を容易に行うことができる。
【００９３】
以上、本発明の水処理システムに係る実施形態について説明したが、本発明は上記実施形態に限定されるものではない。例えば、配管の接続及び弁の配置は適宜変更が可能であり、要は、各流入ライン（流入経路）及び各流出ライン（流出経路）が形成できればよい。また、上記実施形態では、各ラインは配管を一部共用しているが、共用する箇所を変更してもよく、さらに、各ライン専用に別々な配管を設けてもよく、要は、各ラインが形成できればよい。
【００９４】
また、上記実施形態では、各ラインはシーチェストを一部共有しているが、各ライン専用のシーチェストを設けてもよい。また、各ポンプの配置は適宜変更が可能であり、要は、バラストタンク３の漲水、排水、及び、アフトピークタンク７の漲水、排水が行えればよい。
【００９５】
また、上記実施形態では、制御部９は居住区２２に設けられているが、例えばポンプルーム５やエンジンルーム６等に設けられていても良い。さらに、上記実施形態では、一つの制御部９が設けられているが、水処理部８、第一ポンプＰ１、第二ポンプＰ２、第三ポンプＰ３、及び弁Ｖ１〜Ｖ１６毎に各制御部を設け、それぞれ別の場所に配置してもよい。
【００９６】
また、上記実施形態では、水処理部８は甲板上の水処理装置室１０に設けられているが、例えばエンジンルーム６等に設けられてもよい。
【００９７】
また、上記実施形態では、第二のタンクとしてアフトピークタンク７が用いられているが、例えば、カーゴタンク（収容タンク）４に隣接しないバラストタンクが設置されている場合においても、当該カーゴタンク４に隣接しないバラストタンクが第二のタンクとして用いられてもよい。
【符号の説明】
【００９８】
１Ａ，１Ｂ，１Ｃ…水処理システム、２…船舶、３…バラストタンク（第一のタンク）、４…カーゴタンク（収容タンク）、７…アフトピークタンク（第二のタンク）、８…水処理部、８１…流入口、８２…流出口、Ｐ１…第一ポンプ、Ｐ２…第二ポンプ、Ｐ３…第三ポンプ、Ｓ１…第一水シール部、Ｓ２…第二水シール部、Ｗｉ１…第一流入ライン、Ｗｉ２…第二流入ライン、Ｗｉ３…第三流入ライン、Ｗｉ４…第四流入ライン。
【図１】
0005710416.tif 000002
【図２】
0005710416.tif 000003
【図３】
0005710416.tif 000004
【図４】
0005710416.tif 000005
【図５】
0005710416.tif 000006
【図６】
0005710416.tif 000007
【図７】
0005710416.tif 000008
【図８】
0005710416.tif 000009
【図９】
0005710416.tif 000010